(57)【要約】【課題】手に何も持たずに外出する際に簡単に本を携帯できるうえ、本と共に紙幣、コインや磁気カード、ICカード、小型の携帯音楽プレーヤー、部屋の鍵などを雨や雪で濡れないよう保護しながら携帯できる、ファッション性、話題性に富んだバッグ型のブックカバーを提供する。【解決手段】ブックカバーに蓋８と吊り下げ具２を設けて腰ベルトなどに吊り下げることで、本を雨や雪、汚れなどから保護しながら手に何も持たず携行できるうえ、さらに本を読む際に邪魔にならない位置にポケット４を設けて外出時に必要な紙幣、コインや磁気カード、ICカード、小型の携帯音楽プレーヤー、部屋の鍵など本と共に携行できることを特徴とする。【選択図】図１
2012056202.tif 000002
【特許請求の範囲】
【請求項１】
ブックカバー本体より延在する蓋が、蓋の端部とブックカバー本体に接合している第１留め具によって留められていることを特徴とするブックカバー。
【請求項２】
ブックカバー本体より延在する蓋に財布や小物入れ等として利用可能なポケットを設けたことを特徴とする請求項１に記載のブックカバー。
【請求項３】
吊り下げ具を蓋の上部中央に設けたことを特徴とする請求項１から請求項２のいずれかに記載のブックカバー。
【発明の詳細な説明】
【技術分野】
【０００１】
本発明は、手に何も持たずに外出する際に本を手に持たず簡単に携帯できるうえ、本と一緒に紙幣、コインや磁気カード、ICカード、小型の携帯音楽プレーヤー、部屋の鍵などを雨や雪で濡れないよう保護しながら携帯することができる、ファッション性、話題性に富んだ蓋とポケット、吊り下げ具の付いたバッグ型ブックカバーに関する。
【背景技術】
【０００２】
従来のブックカバーは、単に本を保護する機能しか有しておらず、持ち運ぶ際にはカバンやバッグに入れる、又は直接手に持つ必要があった。フック付きブックカバー（例えば、特開２００３−０６３１６９号）や把手付きブックカバー（例えば、特許第３３８２６０９号）もあるが、隙間があるために携行時に雨や雪が降った場合、保持した本が濡れてしまうという問題があった。
【０００３】
フックや把手のついたブックカバーにはポケットが付いていないものがあり、本を携行する際には、外出時に必要な紙幣、コインや磁気カード、ICカード、小型の携帯音楽プレーヤー、部屋の鍵などを入れる小物入れなどを共に携帯しなければならず、持ち物が増えて煩わしいという不満があった。
【０００４】
ポケットの付いたブックカバー（例えば、実用新案登録第３０６０３７４号）もあるが、ポケットがブックカバー本体における本の表紙、裏表紙が直接接する位置に設けられており、紙幣、コインや磁気カード、ICカード、小型の携帯音楽プレーヤー、部屋の鍵などを入れた際にポケットと接した表紙、裏表紙が折り曲げにくくなり、本を読む際に邪魔になるという不満があった。
【先行技術文献】
【特許文献】
【０００５】
【特許文献１】特許第３３８２６０９号  公報
【特許文献２】特開２００３−０６３１６９号  公報
【特許文献３】実用新案登録第３０６０３７４号  公報
【発明の概要】
【発明が解決しようとする課題】
【０００６】
上記の問題点を解決するために、本発明はなされたものである。即ち、本発明は吊り下げ具を備えたブックカバーに蓋を設け、本の表紙、裏表紙と直接接しない位置にポケットを設けたバッグ型ブックカバーを提供しようとするものである。
【課題を解決するための手段】
【０００７】
本発明のバッグ型ブックカバーは、ブックカバーの上部を覆うように設けられた蓋８とその近傍に設けられた吊り下げ具２、本を携行する際に蓋８や本が開かないよう、蓋の下端部とブックカバーの下端部に接合された第１留め具３ａ、３ｂと、ブックカバーの中央部と水平に接合される第２留め具６ａ、６ｂを備える。第１留め具３ａ、３ｂ、第２留め具６ａ、６ｂにはバックル、ホック、面ファスナー、磁石等を利用するのが良い。
【０００８】
ブックカバー本体において、本の表紙、裏表紙に直接接していない位置に備えられた蓋８にポケット４を設ける。
【発明の効果】
【０００９】
本発明のブックカバーは、蓋、ポケット、吊り下げ具を設けたものである。蓋と吊り下げ具を備えることで、本を雨や雪などから保護した状態で、腰のベルトや肩掛けカバン、バッグなどに提げるなど手を空けた状態で携行することができる。また本をバッグやカバンから取り出すという煩わしさを解消できる。
【００１０】
ブックカバー本体に設けられた蓋にチャックの付いたポケットが設けられているため、紙幣、コインや磁気カード、ICカード、小型の携帯音楽プレーヤー、部屋の鍵などを入れることができ、小物入れなどの余計な荷物を持ち歩く不便さがなくなる。また、ポケットがブックカバー本体において本の表紙に直接接していない位置に備えられているため、紙幣、コインや磁気カード、ICカード、小型の携帯音楽プレーヤー、部屋の鍵などを入れた状態でも本を読みやすい。
【００１１】
閉じた状態のブックカバー本体の蓋を開き、後背部に第２留め具で固定することができ、本を読む際に蓋が動いて邪魔になることを防ぐ。
【００１２】
ブックカバーは表地と裏地からなり、本皮・合皮（ポリ塩化ビニール／ＰＶＣ・ポリウレタン／ＰＵ）・ナイロン・ポリエチレン・ポリプロピレン・綿・木綿から選択される少なくとも一種から形成することができ、表地には印刷、生地やワッペンの縫い付け、プレートの接着などによるデザインを施すことができるうえ、裏地には表地と違う色やデザインの生地が使用できるため、ファッション性の高いブックカバーを提供できる。また、ブックカバーに設けたチャックの引き手に穴部が開いているものを採用することで、引き手の穴部に装飾具を付けることでさらにファッション性を高めることができる。
【図面の簡単な説明】
【００１３】
【図１】本発明のブックカバーの一例を示す正面の斜視図である。
【図２】本発明のブックカバーの一例を示す裏面の斜視図である。
【図３】ブックカバーの裏面を展開した一例を示す図である。
【図４】図３において本を保持した一例を示す図である。
【図５】ブックカバーを閉じて留め具で固定した一例を示す図である。
【図６】蓋を後背部で留め具により固定した一例を示す図である。
【図７】ポケットが無い一例を示す斜視図である。
【図８】ポケットの開閉口が横になる一例を示す斜視図である。
【図９】蓋とブックカバーを面ファスナーで留めた一例を示す斜視図である。
【図１０】チャック部分に装飾具を装着した状態を示す斜視図である。
【図１１】ストラップを備えたブックカバーの一例を示す斜視図である。
【図１２】ストラップを備えたブックカバーの一例を示す斜視図である。
【図１３】ホルスターを備えたブックカバーの一例を示す斜視図である。
【図１４】ホルスターで着用した例を示す図である。
【発明を実施するための形態】
【実施例１】
【００１４】
第１の実施例を図１から図６に示す。図１に示すように、ブックカバー本体１に蓋８、吊り下げ具２が設けられている。蓋８は本本体に直接接しない位置且つ本を閉じた際に本本体を覆うように設けられている。吊り下げ具２は、ブックカバー本体１にＤカン５で取り付けてもよいし、二重カンで取り付けてもよい。第１留め具３ａ、３ｂは、本を携行する際に蓋８が開かないように留める留め具であり、ベルト７ａ、７ｂでブックカバー本体１に接合されている。第１留め具３ａ、３ｂはベルト７ａの長さを調整できる機能を持ち、本の厚さに応じて長さを変更することができる。吊り下げ具２は楕円形の形状をしているが、これに限定するものではない。第１留め具３ａ、３ｂは図１に示したものに限定されることなく、例えばホック、磁石等で留めてもよい。
【００１５】
図１に示すように、蓋８にはポケット４が設けられ、紙幣、コインや磁気カード、ICカード、小型の携帯音楽プレーヤー、部屋の鍵などを入れることができる。
【００１６】
ブックカバー本体１の裏面の一例を示したのが図２である。本を強固に保持できるようベルト留め具６ａ、６ｂ、ベルト７ａ、７ｂは十字に縫いつけられているが、図示された形状に限定するものではない。ブックカバー本体１とベルト留め具６ａ、６ｂ、ベルト７ａ、７ｂは接着剤、鋲等で接合してもよい。
【００１７】
ブックカバー本体１を展開した裏面の一例を示したのが図３であり、ブックカバー本体１に本１３を保持した状態の例を示したのが図４である。本１３の表紙をブックカバー本体１のポケット部１１に差し入れて裏表紙を伸縮する紐１０に通すことで本をブックカバー本体１で保持する。ブックカバーの左端部１２を表紙と本本体の間に挿入して閉じ、第２留め具６ａ、６ｂで留めた状態が図５である。図５の状態から蓋８を閉じて留め具３ａ、３ｂで留めると図１になる。
【００１８】
図１の状態のブックカバー本体１から蓋８を開き、閉じたブックカバー本体１の後背部に第２留め具６ａ、６ｂで固定した状態を示すのが図６である。
【００１９】
ブックカバー本体１には図３に示すように紐状のしおり９を備えることができる。しおり９がなくとも、ブックカバーの左端部１２を閉じた際に読んでいる途中のページに挿入することでしおりの役目を果たすことができる。
【実施例２】
【００２０】
実施例１の応用を第２の実施例として図７から図１４に示す。図１ではポケット４はチャック式で表されているが、例えばポケット４に蓋を備えてホック、面ファスナー、磁石等で留めてもよいし、図７に示したようにポケットが無くてもよい。また図８のように、ポケット４の開閉口を横にしてもよい。
【００２１】
第１留め具３ａ、３ｂは図１に示したものに限定されることなく、例えばホック、磁石等で留めてもよいし、図９に示したように面ファスナー１４ａ、１４ｂでもよい。
【００２２】
ブックカバー本体１の蓋８に設けたポケット４のチャックの引き手には穴部が開いているものを採用して、図１０のように引き手の穴部に装飾具１５を装着することができる。
【００２３】
図１では吊り下げ具２は楕円形の形状をしているが、これに限定するものではない。肩にかけることができる便利なストラップ１６を使用する例を図１１に示した。ストラップ１６は輪になった状態で吊り下げ具２に取り付けてもよいし、取り下げ具２を外してＤカン５に直接取り付けてもよい。また、図１２のようにブックカバー本体１にＤカン１９ａ、１９ｂを設けて、両先端に吊りカン１８ａ、１８ｂが取り付けられているストラップ１７を取り付けてもよい。
【００２４】
両肩にかけることができるホルスター２０を使用する例を図１３に、実際に装着した一例を図１４に示した。ホルスター２０の形状は図１３に限定されるものではない。
【００２５】
ブックカバー本体１は表地と裏地からなり、本皮・合皮（ポリ塩化ビニール／ＰＶＣ・ポリウレタン／ＰＵ）・ナイロン・ポリエチレン・ポリプロピレン・綿・木綿から選択される少なくとも一種から作ることができる。表地には印刷、生地やワッペンの縫い付け、プレートの接着などによるデザインを施すことができる。裏地には表地と違う色やデザインの生地を使用することができる。
【００２６】
ブックカバー本体１は、本の大きさ、例えば、Ａ６判、Ａ５判、Ｂ６判、四六判に対応した大きさのものを準備しておくのがよい。
【符号の説明】
【００２７】
１              ブックカバー本体
２              吊り下げ具
３ａ、３ｂ      第１留め具
４              ポケット
５              Dカン
６ａ、６ｂ      第２留め具
７ａ、７ｂ      ベルト
８              蓋
９              しおり
１０            紐
１１            ポケット部
１２            ブックカバー左端部
１３            本本体
１４ａ、１４ｂ  面ファスナー
１５            装飾具
１６            ストラップ
１７            ストラップ
１８ａ、１８ｂ  吊りカン
１９ａ、１９ｂ  Ｄカン
２０            ホルスター
【図１】
2012056202.tif 000003
【図２】
2012056202.tif 000004
【図３】
2012056202.tif 000005
【図４】
2012056202.tif 000006
【図５】
2012056202.tif 000007
【図６】
2012056202.tif 000008
【図７】
2012056202.tif 000009
【図８】
2012056202.tif 000010
【図９】
2012056202.tif 000011
【図１０】
2012056202.tif 000012
【図１１】
2012056202.tif 000013
【図１２】
2012056202.tif 000014
【図１３】
2012056202.tif 000015
【図１４】
2012056202.tif 000016